(57)【特許請求の範囲】
【請求項１】
床面に対して起立して設けられるスタンドフレームと、
当該スタンドフレームの軸方向に沿ってスライド可能に設けられるスライドフレームと、
前記スタンドフレームに消毒液容器を載置させる保持台と、
前記スライドフレームの下方側で回動可能に一端側が直接的に支持され、他端側が前記一端側の高さ位置に応じて床面側との接触位置を前後方向に移動可能に設けたペダルと、
前記スライドフレームの上方側で前記保持台に保持された消毒液容器のプッシャーを押圧させる押圧部と、を備え、
自重により前記押圧部を消毒液容器のプッシャーに当接させて、スライドフレームとともにペダルの前記一端側を持ち上げて前記他端側を前後方向に移動させ、当該持ち上げられたペダルを押下させることにより、スライドフレームを下方にスライドさせて前記消毒液容器のプッシャーを押下させるようにしたことを特徴とする消毒液排出装置。
【請求項２】
前記スライドフレームに、前記軸方向に沿った開口部を設けるようにした請求項１に記載の消毒液排出装置。
【請求項３】
前記スタンドフレームに、前記軸方向に沿ったスリットを設けるようにした請求項２に記載の消毒液排出装置。
【請求項４】
前記スタンドフレームの下端に、前記ペダルを取り付けるためのペダル開口部を設けるとともに、当該ペダル開口部の下縁部に、スタンドフレームの左右の側壁との間に跨って設けられた架橋部を設け、前記ペダルの底面側に、当該架橋部を退避する退避部を設けるようにした請求項１に記載の消毒液排出装置。
【発明の詳細な説明】
【技術分野】
【０００１】
本発明は、ペダルを踏むことによって、消毒液容器に収容された消毒液を排出させるようにした消毒液排出装置に関するものであって、より詳しくは、消毒液容器を容易に交換することができ、しかも、消毒液容器のプッシャーに対する高さ調整を行う必要がない消毒液排出装置に関するものである。
【背景技術】
【０００２】
従来より、希釈されたアルコールや次亜塩素酸などを含有する消毒液を噴霧させる消毒液容器などが販売されている。このような消毒液容器は、プッシャーを押下させることによって、本体に収容されたアルコールなどの消毒液を噴霧させたり、ジェル状の消毒液を排出させるようにしたものである。
【０００３】
しかしながら、このような消毒液容器を使用する際、プッシャーの表面に雑菌などが付いていると、プッシャーを押下させる際に、細菌やウィルスなどが手に付着してしまう可能性がある。
【０００４】
そこで、プッシャーを手で押下させるのではなく、ペダルを押圧させることによって消毒液を排出させるようにした装置も提案されている。
【０００５】
例えば、下記の特許文献１には、起立するスタンドフレームと、このスタンドフレームの所定高さ位置に消毒液容器を保持する保持台と、消毒液容器から消毒液を排出させるための足踏み式のペダルなどを備えた消毒液排出装置が提案されている。そして、このような消毒液排出装置を使用する場合、消毒液容器を保持台に載置させ、その保持台の高さ位置を、消毒液容器のプッシャーを押圧部に接触させるように高さ調整して固定する。そして、このようにプッシャーを押圧部に接触させた状態で、ペダルを押圧させることによって、ワイヤーを引っ張って押圧部とともにプッシャーを押圧させて消毒液を排出させるようにしている。
【０００６】
また、下記の特許文献２には、同様に、起立するスタンドフレームと、消毒液容器を保持する保持台と、消毒液容器から消毒液を排出させるための足踏み式のペダルとを備えてなる消毒液排出装置が提案されている。そして、このような装置を使用する場合、ペダルを押圧させることによって、スタンドフレームの内側に設けられた棒状体を押し上げて保持台の底面に設けられた置き台を持ち上げ、これによってプッシャーを天井に押し当てて消毒液を排出させるようにしている。
【先行技術文献】
【特許文献】
【０００７】
【特許文献１】特開２０１１−１８２８５９号公報
【特許文献２】特開２０１５−１００４５４号公報
【発明の概要】
【発明が解決しようとする課題】
【０００８】
しかしながら、このような消毒液排出装置では次のような問題がある。
【０００９】
すなわち、消毒液容器は、種々の大きさのものが存在しているため、そのプッシャーの高さ位置も異なる。そのため、このような容器を保持台に設置させる際には、そのプッシャーの位置を押圧部に当接させるようにしなければならないが、従来では、保持台のネジやボルトを緩めて消毒液容器を設置し、その状態で、プッシャーの位置を押圧部に合わせて固定しなければならず、その作業に時間がかかるといった問題がある。
【００１０】
また、従来の消毒液排出装置は、ペダルを押圧させることによってプッシャーを押圧させるようにしているが、そのプッシャーを押圧させる際の上下方向のストローク幅は、消毒液容器の種類によって異なり、小さなストローク幅で消毒液を噴霧させるものや、大きなストローク幅が必要となるものもある。しかるに、従来の装置では、ペダルの設置角度によってストローク幅が決まっているため、大きなストローク幅が必要となる消毒液容器では、プッシャーを十分に押下させることができないといった問題もあった。
【００１１】
そこで、本発明は、上記課題に着目してなされたもので、プッシャーの高さに応じた保持台の高さ調整が必要なく、簡単に消毒液容器を設置させることができるとともに、ストローク幅の異なる消毒液容器に対しても、最適なストローク幅で消毒液を排出させることができるようにした消毒液排出装置を提供することを目的とする。
【課題を解決するための手段】
【００１２】
すなわち、本発明は上記課題を解決するために、床面に対して起立して設けられるスタンドフレームと、当該スタンドフレームの軸方向に沿ってスライド可能に設けられるスライドフレームと、前記スタンドフレームに消毒液容器を載置させる保持台と、前記スライドフレームの下方側で回動可能に一端側が直接的に支持され、他端側が前記一端側の高さ位置に応じて床面側との接触位置を前後方向に移動可能に設けたペダルと、前記スライドフレームの上方側で前記保持台に保持された消毒液容器のプッシャーを押圧させる押圧部と、を備え、自重により前記押圧部を消毒液容器のプッシャーに当接させて、スライドフレームとともにペダルの前記一端側を持ち上げて前記他端側を前後方向に移動させ、当該持ち上げられたペダルを押下させることにより、スライドフレームを下方にスライドさせて前記消毒液排出容器のプッシャーを押下させるようにしたものである。
【００１３】
このように構成すれば、消毒液容器を交換する際、自重に逆らってスライドフレームを持ち上げるだけで消毒液容器を設置することができ、また、スライドフレームを離すことによって、自重で押圧部をプッシャーに当接させることができるようになり、細かい高さ調整が不要になる。しかも、押圧部をプッシャーに当接させた状態で、プッシャーのストローク幅に対応してペダルを持ち上げることができるため、そのストローク幅分だけペダルを押下させることができるようになる。さらに、常にペダルがベースフレームに接地した状態となるため、かかとを付けた状態でペダルを押圧させることができるようになる。
【００１４】
また、このような発明において、前記スライドフレームの前記保持台の対応する高さ位置に開口部を設けるようにする。
【００１５】
このように構成すれば、スライドフレームを軽量化してプッシャーが自重で押し込まれるようなことがなくなるとともに、開口部から保持台に工具を入れて、保持台を取り付けることができるようになる。
【００１６】
さらに、前記スタンドフレームの下端に、前記ペダルを取り付けるためのペダル開口部を設けるとともに、当該ペダル開口部の下縁部に、スタンドフレームの左右の側壁との間に跨って設けられた架橋部を設け、前記ペダルの底面側に、当該架橋部を退避する退避部を設けるようにする。
【００１７】
このように構成すれば、架橋部を設けることによってスタンドフレームの強度を保つことができるとともに、その架橋部を退避するようにペダルを押し下げることができるため、プッシャーを最後まで押し下げることができるようになる。
【発明の効果】
【００１８】
本発明によれば、消毒液容器を交換する際、自重に逆らってスライドフレームを持ち上げるだけで消毒液容器を設置することができ、また、スライドフレームを離すことによって、自重で押圧部をプッシャーに当接させることができるようになり、細かい高さ調整が不要になる。しかも、押圧部をプッシャーに当接させた状態で、プッシャーのストローク幅に対応してペダルを持ち上げることができるため、そのストローク幅分だけペダルを押下させることができるようになる。さらに、常にペダルがベースフレームに接地した状態となるため、かかとを付けた状態でペダルを押圧させることができるようになる。
【図面の簡単な説明】
【００１９】
【図１】本発明の一実施の形態である消毒液排出装置の外観斜視図
【図２】同形態における側面概略図
【図３】同形態における消毒液排出装置の正面概略図
【図４】同形態における消毒液排出装置の背面概略図
【図５】同形態におけるスライドフレームを示す図
【図６】同形態におけるペダルの取付構造を示す図
【発明を実施するための形態】
【００２０】
以下、本発明の一実施の形態について図面を参照しながら説明する。
【００２１】
この実施の形態における消毒液排出装置１は、店舗の出入口などに設置されるものであって、図１に示すように、床面に設置されるベースプレート２から起立するスタンドフレーム３と、このスタンドフレーム３に消毒液容器７を保持させる保持台４と、スタンドフレーム３の長手軸方向に沿ってスライドさせるスライドフレーム５とを備えてなるものであって、特徴的に、スライドフレーム５の上方に、消毒液容器７のプッシャー７１を押圧させるための押圧部５１を設けるとともに、スライドフレーム５の下方に、そのスライドフレーム５を下降させるペダル６を取り付けるようにしたものである。そして、このような消毒液排出装置１を使用する際に、図２に示すように、そのスライドフレーム５を持ち上げて、保持台４と押圧部５１との間に消毒液容器７を設置し、スライドフレーム５を自重で下降させて、押圧部５１をプッシャー７１に当接させ、持ち上がったスライドフレーム５を、ペダル６を押圧させることによって消毒液を排出させるようにしたものである。以下、本実施の形態における消毒液排出装置１について詳細に説明する。
【００２２】
まず、スタンドフレーム３は、床面に設置されるベースプレート２から起立するように設けられるものであって、金属部材を折り曲げた中空状に構成されている。具体的には、このスタンドフレーム３は、左右に設けられた側壁３１と、長手軸方向に沿ったスリット部３５ａ（図３や図４参照）を有する背面３５と、ペダル６を取り付けるためのペダル開口部３４を有する前面３３を設けて構成される。なお、このようにスリット部３５ａやペダル開口部３４を設けると、起立しているスタンドフレーム３の強度が弱くなるため、ベースプレート２との接触部分に、左右の側壁３１から背面３５側に向けて屈曲した屈曲部３２を設け、その間に設けられた底面部３２ａ（図２など参照）をベースプレート２に固定させるようにしている。また、前面３３側については、図６に示すように、ペダル開口部３４の下方に、左右の側壁３１に跨った架橋部３４ａを設け、これによって、スタンドフレーム３の左右方向への振れを防止できるようにしている。
【００２３】
また、このスタンドフレーム３には、消毒液容器７を設置させるための保持台４が取り付けられる。この保持台４は、消毒液容器７の底面部分を囲む箱状に構成されるものであって、図３に示すように、スタンドフレーム３の上方に設けられたスリット部３３ａに取り付けられる。この保持台４をスタンドフレーム３に取り付ける場合、あらかじめ保持台４の穴部にボルトやナットを取り付けておき、その状態で、スリット部３３ａの上方からボルトとナットの隙間を下降させてスタンドフレーム３に挟み込ませるように固定する。このとき、このスリット部３３ａを有底状にしているため、スタンドフレーム３の強度を確保することができるとともに、保持台４を取り付ける際には、保持台４がベースプレート２側まで落ちてしまうことがなくなる。
【００２４】
一方、このスタンドフレーム３には、長手軸方向に沿ってスライド可能なスライドフレーム５が挿入される。このスライドフレーム５は、スタンドフレーム３に上方の開口部分から挿入されるものであって、スタンドフレーム３の側壁３１や前面３３、背面３５の内壁に沿ってスライドするようになっている。
【００２５】
また、このスタンドフレーム３の上方には、保持台４の方向に向けて屈曲した押圧部５１が設けられる。この押圧部５１は、保持台４に保持された消毒液容器７のプッシャー７１を押圧させるようにしたものであって、頭部プレート５１ａと左右の側壁５１ｂを設けることで、プッシャー７１を押圧部５１に保持させるようにしている。
【００２６】
なお、このようにスライドフレーム５を設けると、スライドフレーム５が重くなってしまい、自重でプッシャー７１が押圧されてしまう可能性がある。また、スライドフレーム５がスタンドフレーム３の内側に挿入しているため、スタンドフレーム３の内側から保持台４のボルトやナットを締め付けることができなくなる。このため、この実施の形態では、スライドフレーム５を、コの字形状に形成して、ボルトやナットをスライドフレーム５のコの字状の開口部によって干渉させないようにするとともに、背面側に間欠的な開口部５２を設けることで軽量化を図れるようにしている。また、このように間欠的な開口部５２を設けることで、その開口部５２から工具を挿入して、保持台４のボルトやナットを締め付けることができるようになる。
【００２７】
一方、このスライドフレーム５の下方には、ペダル６が取り付けられる。このペダル６をスライドフレーム５に取り付ける場合、図６などに示すように、スタンドフレーム３の側壁３１に、長手軸方向に沿った長穴３４ｂを設けるとともに、前面３３のペダル開口部３４からペダル６を入れ、左右の長穴３４ｂからピン６１を差し込んで、ペダル６を回動可能に取り付ける。このとき、そのピン６１が挿入されている側と他端側のペダル６の端部は、図２に示すように、ピン６１による回動によって、常に接地させた状態となる。なお、このようにペダル６をスライドフレーム５に取り付けた場合、スライドフレーム５が最下点にきたときに、ペダル６が架橋部３４ａと干渉してしまう。このため、図６に示すように、ペダル６の底面側に、架橋部３４ａを退避するために切り欠いた退避部６２を設けるようにしている。
【００２８】
次に、このように構成された消毒液排出装置１の使用方法について説明する。
【００２９】
まず、消毒液容器７をセットする場合、保持台４にボルトやナットを取り付け、その状態で、スタンドフレーム３のスリット部３３ａに上から挿入していく。そして、適当な位置でスタンドフレーム３の背面３５から工具を挿入して、ボルトやナットでスタンドフレーム３に固定する。
【００３０】
次に、このスタンドフレーム３に対して、スライドフレーム５を上から挿入していく。このスライドフレーム５を挿入していく場合、スライドフレーム５におけるコの字状に開口した部分がスタンドフレーム３の前面側となるようにして挿入していく。このとき、スタンドフレーム３の背面側には、スリット部３５ａからスライドフレーム５の間欠的な開口部５２が見える状態となっている（図４参照）。
【００３１】
そして、このようにスライドフレーム５を挿入させた状態で、今度は、スタンドフレーム３のペダル開口部３４にペダル６を挿入し、スタンドフレーム３の長穴３４ｂや、スライドフレーム５の側面下方に設けられた穴部にピン６１を挿入して取り付ける。このとき、ペダル６はピン６１によって、回動可能な状態になっており、図２に示すように、他端側が常に接地した状態になるとともに、スタンドフレーム３の長穴３４ｂに沿って、ピン６１が上下動するようになっている。
【００３２】
このようにスライドフレーム５やペダル６を取り付けた状態で、今度は、保持台４に消毒液容器７を取り付ける。
【００３３】
この消毒液容器７を取り付ける場合、スライドフレーム５を上方に持ち上げて、押圧部５１と設置台との間の隙間を空ける。そして、そこに消毒液容器７を設置させる。
【００３４】
そして、このように消毒液容器７を設置した後、スライドフレーム５を自重で下降させる。すると、消毒液容器７のプッシャー７１が押圧部５１に当接し、また、スライドフレーム５がプッシャー７１のストローク幅分だけ持ち上げられると同時に、ペダル６の一端側が長穴３４ｂに沿って持ち上げられる。
【００３５】
この状態で、ペダル６を押下すると、ペダル６の接地部分を支点として、ペダル６のピン６１側の端部が押下され、スライドフレーム５が下降する。
【００３６】
すると、このスライドフレーム５の下降によって、プッシャー７１が押圧部５１によって押圧され、消毒液が消毒液容器７から排出されるようになる。
【００３７】
そして、消毒液が排出させた後、ペダル６を離すと、消毒液容器７のプッシャー７１が消毒液容器７内に設けられたプッシャー７１のバネの力によって復元し、スライドフレーム５が上昇して、ペダル６が元の位置に持ち上げられる。
【００３８】
このように、上記実施の形態の消毒液排出装置１によれば、床面に対して起立して設けられるスタンドフレーム３と、当該スタンドフレーム３の長手軸方向に沿ってスライド可能に設けられるスライドフレーム５と、前記スタンドフレーム３に消毒液容器７を保持させる保持台４と、前記スライドフレーム３の下方側で回動可能に一端側が直接的に支持され、他端側が前記一端側の高さ位置に応じて床面側との接触位置を前後方向に移動可能に設けたペダル６と、前記スライドフレーム３の上方側で前記保持台に保持された消毒液容器７のプッシャー７１を押圧させる押圧部５１と、を備え、自重により前記押圧部５１を消毒液容器７のプッシャー７１に当接させて、スライドフレーム３とともにペダル６の前記一端側を持ち上げて前記他端側を前後方向に移動させ、当該持ち上げられたペダル６を押下させることにより、スライドフレーム３を下方にスライドさせて前記消毒液容器７のプッシャー７１を押下させるようにしたので、消毒液容器７を交換する際には、自重に逆らってスライドフレーム５を持ち上げるだけで消毒液容器７を交換することができるようになる。また、スライドフレーム５を離すことによって、自重で押圧部５１をプッシャー７１に当接させることができ、しかも、押圧部５１をプッシャー７１に当接させた状態で、プッシャー７１のストローク幅に応じてペダル６を持ち上げることができるため、そのストローク幅に対応してペダル６を押下させることができるようになる。
【００３９】
なお、本発明は上記実施の形態に限定することなく、種々の態様で実施することができる。
【００４０】
例えば、上記実施の形態では、スライドフレーム５にペダル６を取り付けるようにしているが、より軽量化を図るために、上方部分だけをスタンドフレーム３にスライドさせておき、途中部分をワイヤーにして、ペダル６と連結させるようにしてもよい。
【００４１】
また、上記実施の形態では、スライドフレーム５に間欠的な開口部５２を設けるようにしたが、素材の種類により軽量化が図ることができる場合は、このような開口部５２を設けないようにしてもよい。
【００４２】
さらに、上記実施の形態では、保持台４をスリット部３３ａの範囲内で固定させるようにしたが、保持台４をスタンドフレーム３に間欠的に設けられたネジ穴に固定させるようにしておいてもよい。
【００４３】
また、上記実施の形態では、消毒液容器７が大き過ぎてスライドフレーム５が上昇し過ぎた場合、ペダル６の角度が大きくなり過ぎて、ペダル６を踏みにくくなる可能性がある。このような場合、ペダル６の自由端側の下面に踏み台などを挟み込んで、ペダル６の角度を小さくして踏みやすくするようにしてもよい。
【符号の説明】
【００４４】
１・・・消毒液排出装置
２・・・ベースプレート
３・・・スタンドフレーム
３１・・・側壁
３２・・・屈曲部
３２ａ・・・底面部
３３・・・前面
３３ｂ・・・スリット部
３４・・・ペダル開口部
３４ａ・・・架橋部
３４ｂ・・・長穴
３５・・・背面
３５ａ・・・スリット部
４・・・保持台
５・・・スライドフレーム
５１・・・押圧部
５１ａ・・・頭部プレート
５１ｂ・・・側壁
５２・・・開口部
６・・・ペダル
６１・・・ピン
７・・・消毒液容器
７１・・・プッシャー
【図１】
0006979721.tif 000002
【図２】
0006979721.tif 000003
【図３】
0006979721.tif 000004
【図４】
0006979721.tif 000005
【図５】
0006979721.tif 000006
【図６】
0006979721.tif 000007